(57)【要約】【課題】バンド部の取り外し方によって基体部の破断の仕方を異ならせ通常の開封か不正による開封かの見分けができるようにして、その対処をし易くした封印用バンドを提供する。【解決手段】基体部２の挿通孔７にバンド部１を逆抜け不能に挿通するようにした合成樹脂製の封印用バンドＡであって、弾性噛合部１０の両側に位置しかつバンド部１の挿通方向と平行をなすようにして基体部２の一側壁２ｂに厚さの異なる一対の薄肉条部１１ａ，１１ｂを設け、また、弾性噛合部１０より引き出し口９側に位置して両薄肉条部１１ａ，１１ｂ間に亘り細隙１２を開設し、挿通孔７に挿通されたバンド部１を基体部２から無理に取り外すことにより、いずれか一方の薄肉条部１１ｂのみが破断して一側壁２ｂが開くかまたは細隙１２から差し込み口８側の両薄肉条部１１ａ，１１ｂが破断して一側壁２ｂの一部２ｂ−１のみが剥れるようにした。【選択図】図２
2006089097.tif 000002
【特許請求の範囲】
【請求項１】
外側面に噛合部列が設けられたバンド部と該バンド部の基端に設けられ該バンド部をその先端から挿通する挿通孔が貫設された基体部とからなり、前記挿通孔の内周面には前記バンド部を挿通したとき前記各噛合部列と互いに噛合してそのバンド部の逆抜けを阻止する弾性噛合部を設けてなる合成樹脂製の封印用バンドであって、
前記弾性噛合部の両側に位置しかつ前記バンド部の挿通方向と平行をなすようにして前記基体部の一側壁に厚さの異なる一対の薄肉条部を設け、また、前記弾性噛合部より引き出し口側に位置して前記両薄肉条部間に亘り細隙を開設し、前記挿通孔に挿通された前記バンド部を前記基体部から無理に取り外すことにより、前記いずれか一方の薄肉条部のみが破断して一側壁が開くかまたは前記細隙から差し込み口側の前記両薄肉条部が破断して前記一側壁の一部のみが剥れるようにしたことを特徴とする封印用バンド。
【発明の詳細な説明】
【技術分野】
【０００１】
本発明は、密閉される空間の扉または袋の口元など無断で開けられては困る箇所を封印する結束タイプの封印用バンドに関するものである。
【背景技術】
【０００２】
従来、この種の結束タイプの封印用バンドとして本出願人は次のような構成のものを出願し、既に公知になっている。すなわち、この封印用バンドは合成樹脂製からなり、可撓性を備えたバンド部と該バンド部の基端に設けられ該バンド部が挿通される挿通孔を有した平板状の基体部とからなり、また、前記バンド部の基端側に該バンド部を無理に引っ張ることにより切断される薄肉部が設けられ、前記挿通孔にバンド部を挿通した状態では該バンド部が逆抜け不能に保持されようにしている（例えば、特許文献１参照。）。
【特許文献１】特開２００３−３３０３７２号公報（第３−４頁、図１，図３）
【発明の開示】
【発明が解決しようとする課題】
【０００３】
前記特許文献１の封印用バンドは、一旦、バンド部を基体部に挿通するとバンド部を引き抜くことが不可能となることから、その封印用バンドを通常開封するときは、バンド部を無理に引っ張って前記薄肉部から破断するようにしている。一方、第３者が不正の目的で封印用バンドを開封するときも、前記バンド部を無理に引っ張って薄肉部から該バンド部を破断することになるので、封印用バンドが開封された後に、通常開封されたか不正で開封されたか見分けが付かなくて対処し難い場合があるという課題があった。
【０００４】
そこで、本発明は上記課題に鑑みてなされたもので、バンド部を無理に取り外した場合、その取り外し方によって基体部の破断の仕方を異ならせ通常の開封か不正による開封かの見分けができるようにしてその対処をし易くした封印用バンドを提供することを目的とするものである。
【課題を解決するための手段】
【０００５】
かかる目的を達成するため、本発明に係る封印用バンドは、外側面に噛合部列が設けられたバンド部と該バンド部の基端に設けられ該バンド部をその先端から挿通する挿通孔が貫設された基体部とからなり、前記挿通孔の内周面には前記バンド部を挿通したとき前記各噛合部列と互いに噛合してそのバンド部の逆抜けを阻止する弾性噛合部を設けてなる合成樹脂製の封印用バンドであって、前記挿通孔の内周面に前記弾性噛合部側の両側に位置しかつ前記バンド部の挿通方向と平行をなす凹溝を刻設して前記基体部の一側壁に厚さの異なる一対の薄肉条部を設け、また、前記弾性噛合部より引き出し口側に位置して前記両薄肉条部間に亘り細隙を開設し、前記挿通孔に挿通された前記バンド部を前記基体部から無理に取り外すことにより、前記いずれか一方の薄肉条部のみが破断して一側壁が開くかまたは前記細隙から差し込み口側の前記両薄肉条部が破断して前記一側壁の一部のみが剥れるようにした構成からなる。
【発明の効果】
【０００６】
本発明に係る封印用バンドは、挿通孔にバンド部を挿通した状態で該バンド部を無理に取り外す場合、バンド部の取り外し方によりいずれか一方の薄肉条部のみが破断して基体部の一側壁が開くかまたは細隙から差し込み口側の両薄肉条部が破断して前記一側壁の一部のみが剥れるようにしたので、封印用バンドが開封された後に、それが通常開封されたか不正で開封されたかの見分けが付き、対処し易いという効果がある。また、通常開封した場合は、破断された一側壁が基体部にその一側で繋がっており周囲に飛散しないことから、環境の美化にも繋がるという効果がある。
【発明を実施するための最良の形態】
【０００７】
以下、本発明に係る封印用バンドの実施の形態を図面に基づき説明する。図１は本発明に係る封印用バンドの斜視図、図２（イ）はバンド部の一部の縦断面図、図２（ロ）は基体部の縦断面図、図２（ハ）は図２（ロ）のＸ−Ｘ線断面図、図２（ニ）は図２（ロ）のＹ−Ｙ線断面図、図２（ホ）は図２（ニ）のＺ−Ｚ線断面図をそれぞれ示す。封印用バンドは、例えば、航空機用貨物コンテナ、貨物トラックの箱型荷台または倉庫など密閉される空間の扉を封印する場合、または現金や郵便物を袋に入れて運ぶ際に該袋の口元を封印する場合に使用されるが、本実施の形態では、その内、航空機用貨物コンテナに適用する場合について説明する。
【０００８】
本発明に係る封印用バンドＡは、例えばポリエチレンといった合成樹脂材により一体に成形され、可撓性を有するバンド部１と該バンド部１の基端に一体に設けられ該バンド部１をその先端から挿通する基体部２とから構成されている。
【０００９】
前記バンド部１は、その先端が基体部２に挿通し易いように半円弧状に成形され、バンド部１の外側面である表面には、図２（イ）に示すようにその長手方向に沿って一定の長さに亘り、その長手方向と直交しかつ断面が鋸歯状をなす多数の噛合部３ａを列設した噛合部列３が成形されている。また、バンド部１の表面の基端側には、封印用バンドＡを管理する管理者の名前を入れるネーム記入個所４が設けられると共に先端側には管理番号印刷個所５が設けられている。更に、その先端側には矢印マーク６が設けられる。
【００１０】
一方、前記基体部２は横長の直方体形状に成形され、その長手方向に沿って前記バンド部１が挿通される挿通孔７が貫設される。そして、その挿通孔７の一端がバンド部１の差し込み口８となり、他端が引き出し口９となっている。前記バンド部１の基端は、引き出し口９側の下側壁２ａに連設されている。基体部２の差し込み口８側では、上側壁２ｂの先端縁が下側壁２ａ及び両側壁２ｃ，２ｃよりも短く成形されており、バンド部１の先端を挿通孔７内に挿入し易くしている。
【００１１】
前記上側壁２ｂの内面には、図２（ロ）に示すように引き出し口９側へ下傾し前記バンド部１側の噛合部列３と係合しバンド部１の逆抜けを阻止する弾性噛合部１０が突設される。また、図２（ハ）乃至（ホ）に示すように上側壁２ｂ内面の弾性噛合部１０の所定の位置である両側に位置しかつバンド部１の挿通方向と平行をなすようにして凹溝１１が刻設され、これにより上側壁２ｂに一対の薄肉条部１１ａ，１１ｂが設けられる。また、前記弾性噛合部１０より引き出し口９側に位置して両薄肉条部１１ａ，１１ｂ間に亘り挿通孔７と連通する細隙１２が開設されている。更に、弾性噛合部１０の両側位置には、前記各薄肉条部１１ａ，１１ｂに沿って細幅の縦孔１３，１３が同じく挿通孔７と連通するようにして開設されている。
【００１２】
一方、下側壁２ａの内面では、その内面が引き出し口９側に進むにつれ漸次盛り上がるように成形されており、更に、引き出し口９の位置に横断状の隆起部１４が突設されている。これは、弾性噛合部１０が噛合部列３に係合した状態で、バンド部１の逆抜けを阻止する必要があることから、挿通部７の上下方向の間隔を狭めその係合をしっかり行なわせるためである。
【００１３】
また、前記各薄肉条部１１ａ，１１ｂはその部分から切断され易くなる訳であるが、一方の薄肉条部１１ａより他方の薄肉条部１１ｂの方が薄く成形されている。よって、仮に、上側壁２ｂにその面に対し直交する方向から外力が加わった場合、必ず、より薄い他方の薄肉条部１１ｂ側が破断され、一方の薄肉条部１１ａは破断されないようになっている。これは、破断することによって不要になった破片（上側壁２ｂ）が周囲に飛散するのを防いで環境美化を図るためである。基体部２の上面にも矢印マーク１５が設けられ、基体部２へのバンド部１の挿通方向を解り易く示している。
【００１４】
本発明に係る封印用バンドＡは上記構成からなり、次にその使用方法を説明する。図３は本発明に係る封印用バンドが適用される航空機用貨物コンテナの一例を示す。この貨物コンテナ２０は金属製であって略方形状に成形されており、その一側面に貨物の出入口２１が開設される。この出入口２１には、上下に位置するようにして上扉２２ａと下扉２２ｂとが装着され、上扉２２ａは上縁で軸着されると共に該軸着部を支点として前後方向へ回動し、下扉２２ｂは下縁で軸着されると共に該軸着部を支点として同じく前後方向へ回動するようになっている。
【００１５】
上扉２２ａは、下扉２２ｂが閉じた時、その下縁が該下扉２２ｂの上縁で押えられて開放不能に保持されるようになっている。また、下扉２２ｂにはその上部両側にロック機構２３，２３が設けられる。各ロック機構２３は、図４に示すように下扉２２ｂ前面に成形された凹窪２４内に設けられ、該凹窪２４の内側面に設けられた軸孔２５に一端側が挿通されるロック杆２６と底面に突設され該ロック杆２６の作動を規制する止め杆２７とからなる。
【００１６】
前記ロック杆２６は、下扉２２ｂの軸着部の軸心と平行に配置され他端側にほぼ直角に曲がる屈曲杆部２８が設けられている。そして、ロック杆２６が、その中心軸に沿って左右方向に自在に摺動すると共に該中心軸を中心として前後にも回動するようになっている。また、軸孔２５が設けられた凹窪２４の内側面に前記屈曲杆部２８に近接するようにして封印用バンドＡを挿通するためのコ字型枠２９が固着されている。
【００１７】
ここで、いずれのロック機構２３，２３も動作は同じなので、図４に示すように一方のロック機構２３について説明する。まず、下扉２２ｂを閉じた状態でロック杆２６を左側に摺動させつつ回動し、その一端側を軸孔２５内に挿通すると共に屈曲杆部２８を止め杆２７の左側位置に配置させる。これにより、止め杆２７に屈曲杆部２８が当ってロック杆２６の逆戻り動作が阻止されることになり、下扉２２ｂが施錠される。よって、ロック杆２６を逆方向へ摺動しつつ屈曲杆部２８を回動させ、該屈曲杆部２８を止め杆２７の右側位置に配置させないと開錠されないようになっている。
【００１８】
そこで、本発明にあっては図４に示すように下扉２２ｂを施錠した状態で、バンド部１をコ字型枠２９に挿通すると共に屈曲杆部２８の裏側に回し、そのままその先端部を基体部２に挿通して同図矢視方向へ締め止めする。これにより、ロック機構２３が封印されることになる。
【００１９】
本発明にあっては、貨物コンテナ２０内に貨物を積み込んだ後に、上扉２２ａと下扉２２ｂを閉め、下扉２２ｂの両ロック機構２３，２３を施錠し、更に、封印用バンドＡにより封印をする。そして、貨物コンテナ２０から正規に貨物を積み降ろすときは、図５に示すように前記封印用バンドＡのバンド部先端側を指で掴んで、そのまま上側壁２ｂを剥がすようにして引く。これにより、基体部２の上側壁２ｂが引き出し口９側からその壁面に対して直交する方向へ押され、図７（イ）に示すように一方の薄肉条部１１ａは破断されず、より薄い他方の薄肉条部１１ｂのみが破断される。
【００２０】
このようにして、バンド部１が基体部２から外れ、各ロック機構２３が開封されることになる。最後に、両ロック杆２６，２６を摺動させ下扉２２ｂを開き、続いて上扉２２ａを開いて貨物を出す。この際、破断した上側壁２ｂはその一側が一方の薄肉条部１１ａを介して基体部２に繋がっており、無用に飛散して周囲を汚すことはない。
【００２１】
一方、貨物が積載され封印された後に何者かが、上・下扉２２ａ，２２ｂを開け貨物を無断で盗もうとして、両ロック機構２３，２３を開錠する際、封印用バンドＡを不正に開封しようと思い基体部２からバンド部１を無理に引き抜こうとすると、図６に示すように弾性噛合部１０と係合している噛合部３ａが弾性噛合部１０をバンド部１の挿通方向とは逆方向へ押圧する。
【００２２】
これにより、上側壁２ｂにその壁面に沿った外力が加わり、最終的に両側の薄肉条部１１ａ，１１ｂが同時にせん断的に破断し、図７（ロ）に示すようにこれに対応する上側壁２ｂの一部２ｂ−１のみが剥がれる。この際、薄肉条部１１ａ，１１ｂに沿って縦孔１３，１３が開設されているので、上側壁２ｂの一部２ｂ−１は破断され易い。また、弾性噛合部１０の引き出し口９側に細隙１２が成形されているので、それより引き出し口９側の上側壁２ｂの一部２ｂ−２には前記外力が加わることはなく、その上側壁２ｂの一部２ｂ−２はそのまま残ることになる。
【００２３】
このように、上側壁２ｂの一部２ｂ−１が破断して修復することができなくなる。よって、盗みの後に両ロック機構２３，２３を施錠したとしても、基体部２の上側壁２ｂの一部２ｂ−１が破断されたままとなり、不正したことがすぐに解り対処がし易い。しかも、通常の開封により封印用バンドＡを破断した場合と不正により封印用バンドＡを破断した場合とでは、その破断状態が異なるので、通常の場合と不正の場合との見分けができるようになり、その対処がし易い。
【００２４】
以上のように、本発明に係る封印用バンドＡは、挿通孔７にバンド部１を挿通した状態で該バンド部１を無理に取り外す場合、バンド部１の取り外し方によりいずれか一方の薄肉条部１１ｂのみが破断して基体部２の一側壁２ｂが開くかまたは細隙１２から差し込み口８側の両薄肉条部１１ａ，１１ｂが破断して前記一側壁２ｂの一部２ｂ−１のみが剥れるようにしたので、封印用バンドＡが開封された後に、通常開封されたか不正で開封されたかの見分けが付き対処し易い。また、基体部２が簡単に破断する構成としているので、不正をする者に対しては一種の行為のためらいを与え、これにより不正に対する抑止効果もある。
【図面の簡単な説明】
【００２５】
【図１】本発明に係る封印用バンドの斜視図。
【図２】（イ）はバンド部の一部の縦断面図、（ロ）は基体部の縦断面図、（ハ）は図２（ロ）のＸ−Ｘ線断面図、（ニ）は図２（ロ）のＹ−Ｙ線断面図、（ホ）は図２（ニ）のＺ−Ｚ線断面図。
【図３】本発明に係る封印用バンドが適用される貨物コンテナの斜視図。
【図４】同ロック機構部位を示す拡大斜視図。
【図５】正規に破断する状態を示す封印用バンドの縦断面図。
【図６】不正に破断する状態を示す封印用バンドの縦断面図。
【図７】（イ）は通常の開封の基体部部分の斜視図、（ロ）は不正による開封の基体部部分の斜視図。
【符号の説明】
【００２６】
１          バンド部
２          基体部
２ｂ        上側壁
２ｂ−１    上側壁の一部
３          噛合部列
３ａ        噛合部
７          挿通孔
８          差し込み口
９          引き出し口
１０        弾性噛合部
１１ａ      薄肉条部
１１ｂ      薄肉条部
１２        細隙
Ａ          封印用バンド
【図１】
2006089097.tif 000003
【図２】
2006089097.tif 000004
【図３】
2006089097.tif 000005
【図４】
2006089097.tif 000006
【図５】
2006089097.tif 000007
【図６】
2006089097.tif 000008
【図７】
2006089097.tif 000009